(57)【要約】【課題】  この考案は現代病である外反母趾、内反小趾、ハンマー・トウ等の予防を始め、足の筋力の増強や偏平足の解消等、足全体を総合的に治す事が出来る足・足指健康具を開発・提供する事にある。【解決手段】  健康具は主に支軸と、支軸を支点として左右それぞれが所定間隔に所定角度程回動可能で、且つ、上下一対にそれぞれ重合嵌着して設けた基台本体と使用者の病状に応じて変更可能な傾斜溝付足乗せ板から成り、且つ、該足乗せ板の傾斜溝左右両端部には指張棒をそれぞれ設け、且つ、該傾斜溝上面部には足指の位置に適合した外反母趾矯正用棒と左右調整移動可能な内反小趾矯正用棒をそれぞれ設置し、且つ、使用時は使用者の足の大きさや形状に適合する様、健康具の基台本体の角度及び内反小趾矯正用棒の設置位置をそれぞれ調整して使用するものである。【選択図】  図１
0003124998.tif 000002
【実用新案登録請求の範囲】
【請求項１】
足指や足首等、足全体の筋肉を鍛えて健康な足体にする為の健康具であって、該健康具（ＨＴ）は主に支軸（３）と、支軸（３）を支点として左右それぞれが所定間隔に所定角度（α）（α）程回動可能で、且つ、上下一対にそれぞれ重合嵌着して設けた基台本体（１）（１’）と使用者の病状に応じて変更可能な傾斜溝（２ａ）（２ａ’）付足乗せ板（２）（２’）から成り、且つ、該足乗せ板（２）（２’）の傾斜溝左右両端部には指張棒（４）（４），（４）（４）をそれぞれ設け、且つ、該傾斜溝上面部には足指の位置に適合した外反母趾矯正用棒（６）（６）と左右調整移動可能な内反小趾矯正用棒（５）（５）をそれぞれ設置し、且つ、使用時は使用者の足の大きさや形状に適合する様、健康具の基台本体（１）（１’）の角度及び内反小趾矯正用棒の設置位置をそれぞれ調整して使用する事を特徴とする足・足指健康具。
【請求項２】
足乗せ板（２）（２’）が基台本体（１）（１’）とそれぞれ取り外し可能に設けた事を特徴とする請求項1記載の足・足指健康具。
【請求項３】
足指の設置面が、各指に適合する凹凸をそれぞれ設けた事を特徴とする請求項1記載の足・足指健康具。
【請求項４】
主に支軸（３）と、支軸（３）を支点として左右それぞれが所定間隔に所定角度（α）（α）程回動可能な基台本体（１１）（１１’）から成り、且つ、該基台本体の上面部には足乗せ用傾斜溝（１１ａ）（１１ａ’）部をそれぞれ設け、且つ、該傾斜溝左右両端部には指張棒（４）（４），（４）（４）をそれぞれ設け、且つ、使用時は使用者の好みや状況に応じて、健康具の基台本体（１１）（１１’）の角度をそれぞれ調整して使用する事を特徴とする足・足指健康具。
【考案の詳細な説明】
【技術分野】
【０００１】
この考案は、足指や足首等足全体の筋肉を鍛えて健康な足体にする為の足・足指健康具に関するものである。
【背景技術】
【０００２】
従来、公知に成っているもので一例を紹介すると、例えば足のツボを刺激して偏平足の予防や、ダイエットや、足腰と心肺機能の強化や老化予防等を図るもの、又、足の指と足の間隔を広げたり、狭めたりする事で足の血行を良くし、あらゆる傷病の予防に効果のあるもの等、様々な足を動かす事で健康を維持する健康具が考案・発明され出願されているので紹介する。（特許文献１〜２参照。）
【０００３】
【特許文献１】特開２００１−２８６５２９
【特許文献２】特開２００４−０６５４４４
【０００４】
しかし、上記の健康具では現代病の外反母趾、内反小趾、ハンマー・トウ等の予防には効果が無い為、これらの予防に効果が有り、且つ、足・足指の病気を総合的に治す事が出来る健康具の早期開発が望まれている。
【考案の開示】
【考案が解決しようとする課題】
【０００５】
そこで、上記課題を解決する為に、この考案は現代病である外反母趾、内反小趾、ハンマー・トウ等の予防を始め、足の筋力の増強や偏平足の解消等、足全体を総合的に治す事が出来る足・足指健康具を開発・提供する事にある。
【課題を解決するための手段】
【０００６】
この課題を解決する為の手段として、健康具は主に支軸と、支軸を支点として左右それぞれが所定間隔に所定角度程回動可能で、且つ、上下一対にそれぞれ重合嵌着して設けた基台本体と使用者の病状に応じて変更可能な傾斜溝付足乗せ板から成り、且つ、該足乗せ板の傾斜溝左右両端部には指張棒をそれぞれ設け、且つ、該傾斜溝上面部には足指の位置に適合した外反母趾矯正用棒と左右調整移動可能な内反小趾矯正用棒をそれぞれ設置し、且つ、使用時は使用者の足の大きさや形状に適合する様、健康具の基台本体の角度及び内反小趾矯正用棒の設置位置をそれぞれ調整して使用するものである。
【０００７】
又、足乗せ板が基台本体とそれぞれ取り外し可能に設けたものである。
【０００８】
又、足指の設置面が、各指に適合する凹凸をそれぞれ設けたものである。
【０００９】
又、主に支軸と、支軸を支点として左右それぞれが所定間隔に所定角度程回動可能な基台本体から成り、且つ、該基台本体の上面部には足乗せ用傾斜溝部をそれぞれ設け、且つ、該傾斜溝左右両端部には指張棒をそれぞれ設け、且つ、使用時は使用者の好みや状況に応じて、健康具の基台本体の角度をそれぞれ調整して使用するものである。
【考案の効果】
【００１０】
この考案の効果として、健康具は主に支軸と、支軸を支点として左右それぞれが所定間隔に所定角度程回動可能で、且つ、上下一対にそれぞれ重合嵌着して設けた基台本体と使用者の病状に応じて変更可能な傾斜溝付足乗せ板から成り、且つ、該足乗せ板の傾斜溝左右両端部には指張棒をそれぞれ設け、且つ、該傾斜溝上面部には足指の位置に適合した外反母趾矯正用棒と左右調整移動可能な内反小趾矯正用棒をそれぞれ設置し、且つ、使用時は使用者の足の大きさや形状に適合する様、健康具の基台本体の角度及び内反小趾矯正用棒の設置位置をそれぞれ調整して使用し、又、足乗せ板が基台本体とそれぞれ取り外し可能に設けたもので、又、足指の設置面が、各指に適合する凹凸をそれぞれ設けたもので、
又、主に支軸と、支軸を支点として左右それぞれが所定間隔に所定角度程回動可能な基台本体から成り、且つ、該基台本体の上面部には足乗せ用傾斜溝部をそれぞれ設け、且つ、該傾斜溝左右両端部には指張棒をそれぞれ設け、且つ、使用時は使用者の好みや状況に応じて、健康具の基台本体の角度をそれぞれ調整して使用する事で、現代病である外反母趾、内反小趾、ハンマー・トウ等の予防を始め、足の筋力の増強や偏平足解消等、足全体を総合的に治す事が出来る。
【００１１】
又、この考案の足・足指健康具を使用してホーマン体操やストレッチ体操をする事で、より一層の効果が増し、横足弓、縦足弓等のアーチの筋力増強や、足背、足底の筋力増強、更に、筋肉痛疲労等の解消に極めて有益なる効果を奏するものである。
【考案を実施するための最良の形態】
【００１２】
この考案の最良の形態として、足乗せ板の傾斜溝部の大きさを使用者の足の大きさに合わせて形成する事が望ましいが、コスト的に問題がある場合は複数個ある既成品の中から最も使用者の足の大きさに適合したものを選定して、正しく使用する事が重要である。
【実施例１】
【００１３】
そこで、この考案の一実施例を図１〜図４に基づいて詳述すると、足指や足首等、足全体の筋肉を鍛えて健康な足体にする為の健康具であって、該健康具（ＨＴ）は主に支軸（３）と、支軸（３）を支点として左右それぞれが所定間隔に所定角度（α）（α）程回動可能で、且つ、上下一対にそれぞれ重合嵌着して設けた基台本体（１）（１’）と使用者の病状に応じて変更可能な傾斜溝（２ａ）（２ａ’）付足乗せ板（２）（２’）から成り、且つ、該足乗せ板（２）（２’）の傾斜溝左右両端部には指張棒（４）（４），（４）（４）をそれぞれ設け、且つ、該傾斜溝上面部には足指の位置に適合した外反母趾矯正用棒（６）（６）と左右調整移動可能な内反小趾矯正用棒（５）（５）をそれぞれ埋設し、且つ、使用時は使用者の足の大きさや形状に適合する様、健康具の基台本体（１）（１’）の角度及び内反小趾矯正用棒の埋設位置をそれぞれ調整して使用する事を特徴とする足・足指健康具から構成される。
【００１４】
又、足乗せ板（２）（２’）が基台本体（１）（１’）とそれぞれ取り外し可能に設けた事を特徴とする足・足指健康具から構成される。
【００１５】
又、足指の設置面が、左右の各指（ａ）（ｂ）（ｃ）（ｄ）（ｅ），（ａ’）（ｂ’）（ｃ’）（ｄ’）（ｅ’）に適合する凹凸をそれぞれ設けた事を特徴とする足・足指健康具から構成される。
【００１６】
又、主に支軸（３）と、支軸（３）を支点として左右それぞれが所定間隔に所定角度（α）（α）程回動可能な基台本体（１１）（１１’）から成り、且つ、該基台本体の上面部には足乗せ用傾斜溝（１１ａ）（１１ａ’）部をそれぞれ設け、且つ、該傾斜溝左右両端部には指張棒（４）（４），（４）（４）をそれぞれ設け、且つ、使用時は使用者の好みや状況に応じて、健康具の基台本体（１１）（１１’）の角度をそれぞれ調整して使用する事を特徴とする足・足指健康具から構成される。
【００１７】
次に、この考案の詳細について説明すると、まず材質は位置決め用固定ピン以外は全て木製で形成され、且つ、基台本体（１）（１’）の寸法形状は幅が７０ｍｍで全長が４５０ｍｍで板厚が４５ｍｍで中央部には支軸が軸支され、且つ、該支軸の外周部には所定間隔に所定角度（７．５度、１７．５度、２５度、３５度）程、角度調整可能にする為の１本の固定ピン（７）と固定用穴（１ａ）が５箇所設けられている。
【００１８】
又、足乗せ用傾斜溝（１１ａ）（１１ａ’）部の左右両端部には指張棒（４）（４），（４）（４）をそれぞれ設け、且つ、該足乗せ用傾斜溝上面部には足指の位置に適合した外反母趾矯正用棒（６）（６）と左右調整移動可能な内反小趾矯正用棒（５）（５）を各１箇所と左右調整移動用固定穴（２ｂ）（２ｂ’）をそれぞれ４箇所設けている。又、外反母趾矯正用棒と外反母趾矯正用棒はそれぞれ固定軸（６’）（５’）で軸支されていて、自由回転可能に形成されている。
【００１９】
又、基台本体（１）（１’）上面部は、足の大きさや形状に合わせて取替え可能な傾斜溝（２ａ）（２ａ’）付足乗せ板（２）（２’）を嵌着する為の係止切欠部と係止用止め棒（８）（８）（８）（８）をそれぞれ２箇所ずつ設けている。
【００２０】
次に、この考案の使用方法について説明すると、図4に示す様に使用する時は、使用者の足の大きさや形状に適合した傾斜溝（２ａ）（２ａ’）付足乗せ板（２）（２’）をそれぞれ選定し固着後、基台本体（１）（１’）を使用目的や使用者の安定角度に応じた所定角度（α）に調整して、机（Ｄ）や握り棒等を使用して両手を支えながらバランスをとり、足・足指健康具（ＨＴ）の傾斜溝（２ａ）（２ａ’）部に両足の全指を挿入して使用する。尚、基台本体の角度調整時は、趾先の丸い部分が木部に均等に乗った状態に調整する
【００２１】
又、外反母趾、内反小趾、ハンマー・トウ等の治療をする時は、傾斜溝左右両端部に設けた指張棒（４）（４），（４）（４）部に紐やゴム等を係止して引っ張る事で足指を矯正する。
【実施例２】
【００２２】
その他の事例として、図３に示す健康具（ＨＴ’）は上記実施例１の足乗せ板交換型に対し、基台本体と足乗せ板が一体に形成されたもので、基台本体の角度調整は出来るが、使用者の足の形状や大きさに合わせて足乗せ板を交換する事は出来ない。
【００２３】
又、図４はその他の事例の健康具の角度調整要領を示す平面図である。
【産業上の利用可能性】
【００２４】
この考案の足・足指健康具は、現代病である外反母趾、内反小趾、ハンマー・トウ等の予防を始め、足の筋力の増強や偏平足の解消等、足全体を総合的に治す事が出来る為、多くの市場に寄与する点で産業上の利用可能性を有する。
【図面の簡単な説明】
【００２５】
【図１】この考案の一実施例を示し、（Ａ）は平面図で、（Ｂ）は一部欠截正面図で、（Ｃ）は一部欠截右側面図である。
【図２】この考案の一実施例を示し、健康具の角度調整要領を示す平面図である。
【図３】この考案のその他の事例を示し、（Ａ）は平面図で、（Ｂ）は一部欠截正面図で、（Ｃ）は一部欠截右側面図である。
【図４】この考案のその他の事例を示し、健康具の角度調整要領を示す平面図である。
【図５】この考案の使用例を示し、（Ａ）は平面図で、（Ｂ）は左側面図である。
【符号の説明】
【００２６】
１  左基台本体
１’  右基台本体
１ａ  固定用穴
２  左足乗せ板
２’  右足乗せ板
２ａ  左傾斜溝
２ａ’  右傾斜溝
２ｂ  左固定穴
２ｂ’  右固定穴
３  支軸
４  指張棒
５  内反小趾矯正用棒
５’  固定軸
６  外反母趾矯正用棒
６’  固定軸
７  固定ピン
８  止め棒
１１  左基台本体
１１’  右基台本体
１１ａ  左傾斜溝
１１ａ’  右傾斜溝
１１ｂ  固定用穴
Ｄ  机
α  所定角度
ＨＴ  健康具
ＨＴ’  健康具
ａ  左親趾
ａ’  右親趾
ｂ  左第２趾
ｂ’  右第２趾
ｃ  左第３趾
ｃ’  右第３趾
ｄ  左第４趾
ｄ’  右第４趾
ｅ  左小趾
ｅ’  右小趾
【図１】
0003124998.tif 000003
【図２】
0003124998.tif 000004
【図３】
0003124998.tif 000005
【図４】
0003124998.tif 000006
【図５】
0003124998.tif 000007
【手続補正書】
【提出日】平成18年6月30日(2006.6.30)
【手続補正１】
【補正対象書類名】実用新案登録請求の範囲
【補正対象項目名】請求項４
【補正方法】変更
【補正の内容】
【請求項４】
請求項１記載の主に支軸（３）と、支軸（３）を支点として左右それぞれが所定間隔に所定角度（α）（α）程回動可能な基台本体（１１）（１１′）かちなり、且つ、該基台本体の上面部には足乗せ用傾斜溝（１１ａ）（１１ａ′）部をそれぷそれ設け、且つ、該傾斜溝左右両端部には足張棒（４）（４），（４）（４）をそれぞれ設け、且つ、使用時は使用者の好みや状況に応じて、健康具の基台本体（１１）（１１′）の角度をそれぞれ調整して使用する事を特徴とする足・足指健康具。